(57)【特許請求の範囲】
【請求項１】
車両の運行情報を時間の経過に応じて記憶媒体に記録する際に操作する複数のスイッチと、前記運行情報の記録動作に関連する表示を行う表示部とを備え、前記運行情報と共に、前記車両の荷室の温度情報を時間の経過に応じて前記記録媒体に記録する車両用運行情報記録装置において、
前記複数のスイッチ中の所定のスイッチの操作に伴い、前記記録媒体に記録された前記温度情報の外部出力対象範囲の指定入力を、少なくとも、前記所定のスイッチ以外の他のスイッチの操作により受け付ける対象範囲入力モードのオンオフ状態を切り替えるモード切替手段と、
前記対象範囲入力モードのオン状態において、前記外部出力対象範囲の指定入力内容を前記表示部に表示させる表示制御手段と、
前記対象範囲入力モードのオン状態において、前記温度情報の外部出力要求が発生したときに、前記温度情報のうち、前記表示制御手段が前記表示部に表示させる前記外部出力対象範囲の指定入力内容に対応する温度情報部分を、前記記録媒体から読み出し外部に出力する外部出力手段と、
前記対象範囲入力モードのオフ状態において、前記複数のスイッチのうちいずれかの操作に伴い、前記荷室の状態を積荷がある積載状態と積荷がない非積載状態との一方から他方に切り替える荷室状態切替手段とを備えており、
前記外部出力手段が、前記荷室状態切替手段が前記荷室の状態を前記積載状態に切り替えている間に限り、前記対象範囲入力モードのオン状態において前記外部要求が発生したときに前記温度情報部分を外部に出力する、
ことを特徴とする車両用運行情報記録装置。
【請求項２】
前記車両の複数の前記荷室別に前記温度情報が前記記録媒体にそれぞれ記録され、前記荷室状態切替手段が前記各荷室の状態を個別に前記積載状態と前記非積載状態との一方から他方に切り替えるように構成されており、前記外部出力手段が、前記対象範囲入力モードのオン状態において前記外部要求が発生したときに、前記荷室状態切替手段が前記荷室の状態を前記積載状態に切り替えている荷室についての前記温度情報部分のみを、外部に出力することを特徴とする請求項１記載の車両用運行情報記録装置。
【発明の詳細な説明】
【技術分野】
【０００１】
本発明は、車両の運行情報を記録する装置に係り、特に、車両の走行状態に加えて車両の温度管理対象領域の温度情報を記録する装置に関するものである。
【背景技術】
【０００２】
車両の走行速度や加減速等の走行状態を運行情報として記録する運行情報記録装置では、そのデジタル化に伴い、走行状態以外の状態も併せて記録できるようにすることが提案されている。その一つとして、車両の荷室の温度状態を運行情報の一部として記録することを提案したものがある（例えば、特許文献１）。
【０００３】
特に近年では、外部入力として温度センサを直接接続できるようにした商品も存在し、運行情報記録装置において荷室等の温度情報を管理することは、非常に手軽に行えるようになっている。
【０００４】
ところで、配送の分野では近年、商品管理の一貫として配送品の定温管理が求められることがある。このような配送品の定温管理について、現在は、運行情報記録装置で記録した温度情報を運行終了後に活用して管理の徹底に役立てているのが一般的である。しかし、今後は、配送中の温度情報を配送品と共に配送先に提出して配送中における配送品の定温管理を証明する等、記録した温度情報を運行中にその場でプリントアウトして活用する場合も想定される。
【０００５】
ところが、車両の運行終了後に記録した運行情報をまとめて解析することを前提としている運行情報記録装置には、専用の車載用温度記録装置（例えば、特許文献２）のようなプリンタが設けられていないことが多い。そのため、外付けのプリンタを運行情報記録装置に接続し、かつ、プリントアウトする温度情報の対象期間や印刷時の書式等の設定を入力するマンマシンインタフェースとして、ハンディーターミナル等の外部端末を運行情報記録装置に接続する必要が生じる。
【０００６】
このような事情が、運行情報記録装置で記録した温度情報を運行中に活用する妨げとなり、せっかく温度情報を運行情報記録装置で記録しているにもかかわらず、専用の車載用温度記録装置を併用するといった運用を招いている。
【先行技術文献】
【特許文献】
【０００７】
【特許文献１】特開平９−１２６９０２号公報
【特許文献２】特開平９−４９７６９号公報
【発明の概要】
【発明が解決しようとする課題】
【０００８】
本発明は前記事情に鑑みなされたもので、本発明の目的は、運行情報と共に記録される温度情報を車両の運行中に活用するのに好適な車両用運行情報記録装置を提供することにある。
【課題を解決するための手段】
【０００９】
上記目的を達成するため、請求項１に記載した本発明の車両用運行情報記録装置は、
車両の運行情報を時間の経過に応じて記憶媒体に記録する際に操作する複数のスイッチと、前記運行情報の記録動作に関連する表示を行う表示部とを備え、前記運行情報と共に、前記車両の荷室の温度情報を時間の経過に応じて前記記録媒体に記録する車両用運行情報記録装置において、
前記複数のスイッチ中の所定のスイッチの操作に伴い、前記記録媒体に記録された前記温度情報の外部出力対象範囲の指定入力を、少なくとも、前記所定のスイッチ以外の他のスイッチの操作により受け付ける対象範囲入力モードのオンオフ状態を切り替えるモード切替手段と、
前記対象範囲入力モードのオン状態において、前記外部出力対象範囲の指定入力内容を前記表示部に表示させる表示制御手段と、
前記対象範囲入力モードのオン状態において、前記温度情報の外部出力要求が発生したときに、前記温度情報のうち、前記表示制御手段が前記表示部に表示させる前記外部出力対象範囲の指定入力内容に対応する温度情報部分を、前記記録媒体から読み出し外部に出力する外部出力手段と、
を備えることを特徴とする。
【００１０】
請求項１に記載した本発明の車両用運行情報記録装置によれば、運行情報の記録に関連して設けられた既存のスイッチや表示部を用いて、記録媒体の温度情報の外部出力する対象範囲の指定や指定内容の確認を行ったり、既存のスイッチの操作による外部出力対象範囲の指定入力ができる対象範囲入力モードへのモードの切り替えを行うことができる。
【００１１】
このため、記録媒体の温度情報を外部出力するために新たなマンマシンインタフェースを設けることなく、運行情報と共に記録される温度情報を車両の運行中に外部出力しプリントアウトする等して活用することができる。
【００１２】
また、請求項１に記載した本発明の車両用運行情報記録装置は、前記対象範囲入力モードのオフ状態において、前記複数のスイッチのうちいずれかの操作に伴い、前記荷室の状態を積荷がある積載状態と積荷がない非積載状態との一方から他方に切り替える荷室状態切替手段をさらに備えており、前記外部出力手段が、前記荷室状態切替手段が前記荷室の状態を前記積載状態に切り替えている間に限り、前記対象範囲入力モードのオン状態において前記外部要求が発生したときに前記温度情報部分を外部に出力することを特徴とする。
【００１３】
請求項１に記載した本発明の車両用運行情報記録装置によれば、荷室に積荷がない状態では、それ以前に記録媒体に記録した温度情報を外部出力してプリントアウトする等して車両の運行中に温度情報を活用する機会が少ない場合に、不要に温度情報が外部出力されるのを防ぐことができる。これにより、運行中に記録管理している温度情報のセーフティーガードを高めることができる。
【００１４】
さらに、請求項２に記載した本発明の車両用運行情報記録装置は、請求項１に記載した本発明の車両用運行情報記録装置において、前記車両の複数の前記荷室別に前記温度情報が前記記録媒体にそれぞれ記録され、前記荷室状態切替手段が前記各荷室の状態を個別に前記積載状態と前記非積載状態との一方から他方に切り替えるように構成されており、前記外部出力手段が、前記対象範囲入力モードのオン状態において前記外部要求が発生したときに、前記荷室状態切替手段が前記荷室の状態を前記積載状態に切り替えている荷室についての前記温度情報部分のみを、外部に出力することを特徴とする。
【００１５】
さらに、請求項２に記載した本発明の車両用運行情報記録装置は、請求項１に記載した本発明の車両用運行情報記録装置において、車両の荷室が複数に仕切られている場合、各荷室単位で温度情報の外部出力とその管理とを実現することができる。
【発明の効果】
【００１６】
本発明の車両用運行情報記録装置によれば、記録媒体の温度情報を外部出力するために新たなマンマシンインタフェースを設けることなく、運行情報と共に記録される温度情報を車両の運行中に外部出力しプリントアウトする等して活用することができる。
【図面の簡単な説明】
【００１７】
【図１】本発明の車両用運行情報記録装置の一実施形態に係る運行情報記録システムの概略構成図である。
【図２】図１に示すデジタルタコグラフの正面図である。
【図３】図２に示すスイッチの操作によるディスプレイの表示状態の遷移を示す説明図である。
【図４】図１に示すデジタルタコグラフの電気的構成を示すブロック図である。
【図５】図４の制御ユニットのＣＰＵがＲＯＭに記憶された制御プログラムにしたがって実行する、プリンタに対する温度情報の出力内容設定に関する処理の概要を示すフローチャートである。
【図６】図１に示すプリンタからプリントアウトされる温度チャートの一例を示す説明図である。
【発明を実施するための形態】
【００１８】
以下、本発明による車両用運行情報記録装置の実施形態を、図面を参照しながら説明する。
【００１９】
図１は本発明の車両用運行情報記録装置の一実施形態に係る運行情報記録システムの概略構成図である。図１に示す運行情報記録システムは、デジタルタコグラフ１０（請求項中の車両用運行情報記録装置に相当）と、複数の温度センサ３０と、プリンタ５０とを有している。
【００２０】
デジタルタコグラフ１０とプリンタ５０は、車両１００の運転室１１０に搭載される。この車両１００の荷室１３０は複数に仕切られており（荷室１３１，１３２，１３３，…，１３ｎ）、各荷室１３１，１３２，１３３，…，１３ｎにそれぞれ温度センサ３１，３２，３３，…，３ｎが設けられている。
【００２１】
なお、以後の説明において、荷室１３１，１３２，１３３，…，１３ｎを概括的に荷室１３０と言う場合があり、また、温度センサ３１，３２，３３，…，３ｎを概括的に温度センサ３０と言う場合がある。
【００２２】
デジタルタコグラフ１０は、図２（ａ），（ｂ）に正面図で示すように、カバー１１と、カバー１１の図中左側に配置されたディスプレイ１２及び開スイッチ１３と、カバー１１の図中右側に配置された切替スイッチ１４、実／空スイッチ１５、高速スイッチ１６、及び、専用道スイッチ１７とを有している。
【００２３】
カバー１１は、図２（ａ）に示す閉状態と図２（ｂ）に示す開状態との間で図中の矢印Ｆ方向にスライド開閉できるように構成されており、バネ等の不図示の付勢手段により開方向に付勢されている。なお、図２（ａ）に示すカバー１１の閉状態は、デジタルタコグラフ１０のハウジング側の不図示の係止片と、閉状態の位置にあるカバー１１の係止片との係止によって維持することができる。両係止片の係止は、開スイッチ１３の操作によって解除することができる。
【００２４】
図２（ｂ）に示すカバー１１の開状態時には、閉状態時にカバー１１で隠されていたカードスロット１８が露出する。このカードスロット１８には、車両１００の運行情報や温度情報を記録するメモリカードＡ（請求項中の記録媒体に相当）が抜き差しされる。メモリカードＡをカードスロット１８に挿入して開スイッチ１３を操作すると、後述するリーダ／ライタ２４によるメモリカードＡへの運行情報や温度情報の記録が開始される。記録の開始後に開スイッチ１３を操作すると、メモリカードＡへの運行情報や温度情報の記録が終了され、メモリカードＡがカードスロット１８から排出される。
【００２５】
切替スイッチ１４は、実／空スイッチ１５、高速スイッチ１６、及び、専用道スイッチ１７の機能を切り替える際に操作される。具体的には、切替スイッチ１４を操作する度に、実／空スイッチ１５、高速スイッチ１６、及び、専用道スイッチ１７の機能が、（本来の）通常機能（請求項中の対象範囲入力モードのオフ状態に相当）と印刷設定機能（請求項中の対象範囲入力モードのオン状態に相当）とに、交互に切り替わる。
【００２６】
なお、通常機能のときに実／空スイッチ１５は、荷室１３１，１３２，１３３，…，１３ｎ毎の実車／空車の状態を切り替える際に操作される。実車とは、積荷がある積載状態のことを言い、空車とは、積荷がない非積載状態のことを言う。
【００２７】
通常機能のときに実／空スイッチ１５を操作すると、ディスプレイ１２の表示が、デフォルトの時刻表示から、荷室１３１，１３２，１３３，…，１３ｎのうちどれかの実車、空車の設定状態表示に切り替わる。荷室１３０の実車、空車の設定状態をディスプレイ１２が表示している間に高速スイッチ１６を操作すると、ディスプレイ１２が実車、空車の設定状態を表示する荷室１３０が１つずつ切り替わる。また、荷室１３０の実車、空車の設定状態をディスプレイ１２が表示している間に専用道スイッチ１７を操作すると、ディスプレイ１２に表示される実車、空車の設定状態が実車から空車に、又は、空車から実車に切り替わる。
【００２８】
なお、荷室１３０の実車、空車の設定状態をディスプレイ１２が表示している間に実／空スイッチ１５を操作すると、ディスプレイ１２が表示している荷室１３０の実車、空車の設定状態が切り替わる。また、実／空スイッチ１５、高速スイッチ１６、及び、専用道スイッチ１７のいずれかを一定時間操作しないと、その時点でディスプレイ１２が表示している荷室１３０の実車、空車の設定状態が保存され、ディスプレイ１２の表示がデフォルトの時刻表示に戻る。
【００２９】
また、通常機能のときに高速スイッチ１６は、車両１が走行する道路の設定を一般道から高速道に、又はその反対に切り替える際に操作される。通常機能のときに専用道スイッチ１７は、車両１が走行する道路の設定を一般道から専用道（自動車専用道路）に、又はその反対に切り替える際に操作される。
【００３０】
実／空スイッチ１５や高速スイッチ１６、専用道スイッチ１７の操作による現在の設定状態は、それらのスイッチ１５，１６，１７の上方に配置されたインジケータ表示部１９におけるインジケータ（図示せず）の表示によって確認することができる。
【００３１】
切替スイッチ１４の操作で通常機能から切り替わる印刷設定機能とは、デジタルタコグラフ１０で収集した各温度センサ３１，３２，３３，…，３ｎの温度情報、つまり、各荷室１３１，１３２，１３３，…，１３ｎの温度情報の中から、プリンタ５０で印刷する温度情報を選択指定する機能を言う。
【００３２】
切替スイッチ１４の操作で通常機能から印刷設定機能に機能を切り替えると、ディスプレイ１２の表示が、図３の説明図に示すように、一番左のデフォルトの時刻表示から、プリンタ５０によって温度情報を印刷する対象の温度センサ３０のチャンネル表示に切り替わる。温度センサ３０のチャンネル表示をディスプレイ１２が行っているときに実／空スイッチ１５や高速スイッチ１６を操作すると、ディスプレイ１２が表示する温度センサ３０のチャンネルが１つずつ切り替わる。
【００３３】
また、温度センサ３０のチャンネル表示をディスプレイ１２が行っているときに専用道スイッチ１７を操作すると、ディスプレイ１２の表示が温度情報を印刷する時間の範囲に切り替わる。この表示をディスプレイ１２が行っているときに実／空スイッチ１５や高速スイッチ１６を操作すると、ディスプレイ１２が表示する温度情報の印刷時間が、過去８時間分「ｈｒ  ０８」、過去１２時間分「ｈｒ  １２」、過去２４時間分「ｈｒ  ２４」の順に、又は、その逆の順に切り替わる。
【００３４】
温度情報を印刷する時間範囲の表示をディスプレイ１２が行っているときにプリンタ５０からの要求信号が入力されると、表示している時間範囲分の温度情報のデータを、専用道スイッチ１７の操作直前にディスプレイ１２が表示していたチャンネルの温度センサ３０が測定した荷室１３０の分について、プリンタ５０に出力する。但し、その荷室１３０の実車、空車の設定状態が空車である場合は、荷室１３０に積荷がなく（非積載状態）、荷室１３０の荷物を降ろす際にその荷室１３０の温度情報をプリンタ５０で印刷する必要がない。そのため、プリンタ５０からの要求信号が入力されても、その荷室１３０の温度情報のデータはプリンタ５０に出力されない。
【００３５】
また、温度情報を印刷する時間範囲の表示をディスプレイ１２が行っているときに専用道スイッチ１７を操作すると、ディスプレイ１２の表示が温度センサ３０のチャンネル表示に切り替わる。さらに、温度情報を印刷する時間範囲の表示をディスプレイ１２が行っているときや、温度センサ３０のチャンネル表示をディスプレイ１２が行っているときに、切替スイッチ１４を操作すると、各スイッチ１４，１５，１６，１７の機能が印刷設定機能から通常機能に切り替わり、ディスプレイ１２の表示がデフォルトの時刻表示に戻る。
【００３６】
次に、図４のブロック図を参照して、本実施形態のデジタルタコグラフ１０の電気的構成について説明する。図４は図１に示すデジタルタコグラフ１０の電気的構成を示すブロック図である。図４中引用符号２０は、デジタルタコグラフ１０の全体制御を行う制御ユニットである。
【００３７】
制御ユニット２０は、ＣＰＵ２１と、ＣＰＵ２１の処理に使用する作業領域等として利用されるＲＡＭ２２と、ＣＰＵ２１が実行する制御プログラム等を記憶するＲＯＭ２３とを有している。ＣＰＵ２１には、ディスプレイ１２と、開スイッチ１３、切替スイッチ１４、実／空スイッチ１５、高速スイッチ１６、及び、専用道スイッチ１７と、カードスロット１８に挿入されたメモリカードＡに対するデータの読み書きを行うリーダ／ライタ２４とが接続されている。
【００３８】
次に、ＣＰＵ２１がＲＯＭ２３に記憶された制御プログラムにしたがって実行する、プリンタに対する温度情報の出力内容設定に関する処理の概要を、図５のフローチャートを参照して説明する。
【００３９】
まず、図５に示すように、ＣＰＵ２１は、リーダ／ライタ２４のメモリカードＡに対するアクセス状態に基づいて、カードスロット１８にメモリカードＡが挿入されているか否かを確認する（ステップＳ１）。挿入されていない場合は（ステップＳ１でＮＯ）、処理を終了して、次の周期に再びステップＳ１の処理を実行する。
【００４０】
一方、カードスロット１８にメモリカードＡが挿入されている場合は（ステップＳ１でＹＥＳ）、切替スイッチ１４が操作されたか否かを確認する（ステップＳ３）。操作された場合は（ステップＳ３でＹＥＳ）、開スイッチ１３を除く各スイッチ１４，１５，１６，１７の機能を、現在の状態からもう一方の状態に切り替える。即ち、現在が通常機能であれば印刷設定機能に切り替え、現在が印刷設定機能であれば通常機能に切り替える（ステップＳ５）。そして、処理を終了して、次の周期に再びステップＳ１の処理を実行する。
【００４１】
また、切替スイッチ１４が操作されていない場合は（ステップＳ３でＮＯ）、実／空スイッチ１５、高速スイッチ１６、及び、専用道スイッチ１７のいずれかが操作されたか否かを確認する（ステップＳ７）。
【００４２】
操作されていない場合は（ステップＳ７でＮＯ）、処理を終了して、次の周期に再びステップＳ１の処理を実行する。操作された場合は（ステップＳ７でＹＥＳ）、開スイッチ１３を除く各スイッチ１４，１５，１６，１７の機能が通常機能であるか否かを確認する（ステップＳ９）。
【００４３】
通常機能である場合は（ステップＳ９でＹＥＳ）、実／空スイッチ１５、高速スイッチ１６、及び、専用道スイッチ１７のいずれかの次の操作を一定時間連続して検出しなくなるまでの間（ステップＳ１３でＹＥＳ）、操作を検出したスイッチ１５，１６，１７に応じた設定状態の切替を受け付け、受け付けた内容に応じてディスプレイ１２の表示やインジケータ表示部１９にある不図示のインジケータの表示を切り替える（ステップＳ１１）。
【００４４】
なお、通常機能である場合のスイッチ１５，１６，１７の操作に応じた設定状態の詳しい切替内容は、先に説明した通りである。
【００４５】
また、実／空スイッチ１５、高速スイッチ１６、及び、専用道スイッチ１７のいずれかの次の操作を一定時間連続して検出しなかった場合は（ステップＳ１３でＮＯ）、処理を終了して、次の周期に再びステップＳ１の処理を実行する。
【００４６】
さらに、ステップＳ９において、開スイッチ１３を除く各スイッチ１４，１５，１６，１７の機能が通常機能でない場合（ＮＯ）、つまり、各スイッチ１４，１５，１６，１７の機能が印刷設定機能である場合は、操作を検出したスイッチ１４，１５，１６，１７に応じた温度情報の出力対象（温度センサ３０のチャンネル、時間範囲）に関する設定入力を受け付け、受け付けた内容に応じてディスプレイ１２の表示を切り替える（ステップＳ１５）。
【００４７】
なお、印刷設定機能である場合のスイッチ１４，１５，１６，１７の操作に応じた温度情報の出力対象に関する詳しい設定入力内容は、図３を参照して先に説明した通りである。そして、プリンタ５０から温度情報のデータ出力の要求信号が入力されたか否かを確認する（ステップＳ１７）。
【００４８】
要求信号が入力されていない場合は（ステップＳ１７でＮＯ）、ステップＳ３に処理を移行する。要求信号が入力された場合は（ステップＳ１７でＹＥＳ）、温度情報の出力対象として現在設定されているチャンネルの温度センサ３０及び時間範囲分の温度情報のデータ（但し、温度センサ３０が温度を測定した荷室１３０が実車の場合のみ）を、メモリカードＡからリーダ／ライタ２４により読み出してプリンタ５０に出力した後（ステップＳ１９）、ステップＳ３に処理を移行する。
【００４９】
図６は図５のフローチャートにおけるステップＳ１９でデジタルタコグラフ１０から出力される温度情報によってプリンタ５０がプリントアウトした温度チャートの一例を示す説明図である。図６に示すように、プリンタ５０がプリントアウトする温度チャートには、「温度チャート」のタイトルと共に、選択された温度センサ３０のチャンネル（図６の例ではチャンネル１：ＣＨ１）が印字される。
【００５０】
また、温度チャートには、印字する温度情報の印刷時間（図６の例では過去２４時間分）と、車両１００の車番、メモリカードＡへの記録開始時間及び記録終了時間、そして、メモリカードＡから指定して読み出した温度情報のグラフが印字される。
【００５１】
以上の説明からも明らかなように、本実施形態では、図２（ａ）に示す切替スイッチ１４が請求項中の所定のスイッチに相当している。また、本実施形態では、実／空スイッチ１５、高速スイッチ１６、及び、専用道スイッチ１７が、請求項中の他のスイッチに相当している。なお、切替スイッチ１４も温度情報の出力対象の指定入力に用いるようにしてもよい。そして、これらの各スイッチ１４，１５，１６，１７が、請求項中の（複数の）スイッチに相当している。さらに、本実施形態では、ディスプレイ１２が、請求項中の表示部に相当している。
【００５２】
また、本実施形態では、図５のフローチャートにおけるステップＳ５が、請求項中のモード切替手段に対応する処理となっている。さらに、本実施形態では、図５中のステップＳ１５が、請求項中の表示制御手段に対応する処理となっている。
【００５３】
また、本実施形態では、図５中のステップＳ１９が、請求項中の外部出力手段に対応する処理となっている。さらに、本実施形態では、図５中のステップＳ５が、請求項中の荷室状態切替手段に対応する処理を含んでいる。
【００５４】
以上に説明したように、本実施形態のデジタルタコグラフ１０によれば、切替スイッチ１４の操作により通常機能から印刷設定機能に機能を切り替えると、通常機能では荷室１３０の実車／空車の状態切替、走行路の一般道／高速道の設定切替、及び、走行路の一般道／専用道の設定切替の際にそれぞれに操作される、実／空スイッチ１５、高速スイッチ１６、及び、専用道スイッチ１７を、プリンタ５０に出力する温度情報の対象の指定入力に使用できるようにした。
【００５５】
そして、温度情報の対象指定入力に各スイッチ１５，１６，１７を使用した際の指定入力内容を、通常機能時に各スイッチ１４，１５，１６，１７の操作内容を表示するディスプレイ１２に、印刷設定機能時の各スイッチ１５，１６，１７の操作内容を表示させるようにした。
【００５６】
このため、新たなマンマシンインタフェースを設けることなく、既存のスイッチ１４，１５，１６，１７とディスプレイ１２とを用いて出力対象を指定、確認しながら、車両１の運行情報と共にメモリカードＡに記録された荷室１３０の温度情報をプリンタ５０に出力し、プリンタ５０からプリントアウトして活用することができる。
【００５７】
なお、本実施形態で説明したように、各荷室１３１，１３２，１３３，…，１３ｎ毎に設置した各温度センサ３１，３２，３３，…，３ｎ単位で、プリンタ５０に出力する温度情報を指定できるようにするための構成は、省略してもよい。しかし、本実施形態のようにこの構成を設ければ、各荷室１３１，１３２，１３３，…，１３ｎ単位で温度情報をプリンタ５０でプリントアウトして活用できるようになるので、有利である。
【００５８】
また、本実施形態で説明したように、空車（非積載状態）に設定されている荷室１３０の温度情報はプリンタ５０から要求されてもプリンタ５０に出力しないようにするための構成は、省略してもよい。しかし、本実施形態のようにこの構成を設ければ、積荷がない荷室１３０の活用する可能性が低い温度情報が無条件にプリンタ５０からプリントアウトされてしまうのを防ぎ、温度情報のセーフティーガードを高めることができるので、有利である。
【００５９】
さらに、本実施形態では、デジタルタコグラフ１０に接続したプリンタ５０からの要求に応じてプリンタ５０からプリントアウトするために、要求された温度情報をプリンタ５０に出力する場合を例に取って説明した。しかし、本発明は、デジタルタコグラフ１０に接続したプリンタ５０以外の外部機器からの要求に応じて、その外部機器での処理に用いるために温度情報を出力する場合にも適用可能である。
【産業上の利用可能性】
【００６０】
本発明は、特に、車両の走行状態に加えて車両の温度管理対象領域の温度情報を記録する際に用いて好適である。
【符号の説明】
【００６１】
１  車両
１０  デジタルタコグラフ（車両用運行情報記録装置）
１１  カバー
１２  ディスプレイ（表示部）
１３  開スイッチ
１４  切替スイッチ（スイッチ）
１５  実／空スイッチ（スイッチ、他のスイッチ）
１６  高速スイッチ（スイッチ、他のスイッチ）
１７  専用道スイッチ（スイッチ、他のスイッチ）
１８  カードスロット
１９  インジケータ表示部
２０  制御ユニット（モード切替手段、表示制御手段、外部出力手段、荷室状態切替手段）
２１  ＣＰＵ
２２  ＲＡＭ
２３  ＲＯＭ
２４  リーダ／ライタ
３０，３１，３２，３３，…，３ｎ  温度センサ
５０  プリンタ
１００  車両
１１０  運転室
１３０，１３１，１３２，１３３，…，１３ｎ  荷室
Ａ  メモリカード（記録媒体）
【図１】
0005681534.tif 000002
【図２】
0005681534.tif 000003
【図３】
0005681534.tif 000004
【図４】
0005681534.tif 000005
【図５】
0005681534.tif 000006
【図６】
0005681534.tif 000007